(57)【要約】【課題】通常の移動作業には支障を来さず、強い衝撃が加わった際には移動を防止できる画像形成装置を提供する。【解決手段】画像形成装置は、底面に設けられたキャスター４によって床Ｆ上に設置される装置本体２と、該装置本体２の下部に着脱可能に設けられる収容部８と、該収容部８が前記装置本体２から引き出されることで、前記装置本体２の底面から前記床Ｆに向けて突出し、該床Ｆを押圧するストッパー２１と、を備えている。ことを特徴とする画像形成装置。【選択図】図４
2018072504.tif 000002
【特許請求の範囲】
【請求項１】
底面に設けられたキャスターによって床上に設置される装置本体と、
該装置本体の下部に着脱可能に設けられる収容部と、
該収容部が前記装置本体から引き出されることで、前記装置本体の底面から前記床に向けて突出し、該床を押圧するストッパーと、を備えていることを特徴とする画像形成装置。
【請求項２】
前記ストッパーは、前記キャスターよりも下方に突出する突出位置と前記キャスターよりも上方に退避する退避位置との間を回動可能に前記装置本体に設けられ、
前記装置本体から前記収容部が引き出されることで、前記ストッパーが前記退避位置から前記突出位置に回動し、
前記装置本体に前記収容部が装着されることで、前記ストッパーが前記突出位置から前記退避位置に回動することを特徴とする請求項１に記載の画像形成装置。
【請求項３】
前記ストッパーは伸縮可能に設けられ、
前記退避位置においては伸長状態に維持され、
前記退避位置から前記突出位置へ回動する際に前記床に当接すると、該床で押圧されることで収縮しながら前記床上をスライドし、
前記突出位置においては伸長して前記床を押圧することを特徴とする請求項２に記載の画像形成装置。
【請求項４】
前記ストッパーを回動させる力がゼロとなる死点を基準として、該死点の一方の側に前記ストッパーが回動すると該ストッパーを前記退避位置に回動するように付勢し、前記死点の他方の側に前記ストッパーが回動すると該ストッパーを前記突出位置に回動するように付勢する付勢部材と、
前記収容部の底面から下方に突出する押圧片と、
前記収容部の引き出し方向手前側及び装着方向手前側で前記押圧片と当接可能に前記ストッパーにそれぞれ設けられる引き出し側被押圧片及び装着側被押圧片と、を備え、
前記収容部が前記装置本体から引き出されると、前記押圧片が前記引き出し側被押圧片を押圧することで前記ストッパーが前記死点の他方の側に回動し、前記付勢部材によって前記退避位置から前記突出位置に前記ストッパーが回動し、
前記収容部が前記装置本体に装着されると、前記押圧片が前記装着側被押圧片を押圧することで前記ストッパーが前記死点の一方の側に回動し、前記付勢部材によって前記突出位置から前記退避位置に前記ストッパーが回動することを特徴とする請求項２又は３に記載の画像形成装置。
【請求項５】
前記押圧片は、前記装置本体から前記収容部が引き出される長さが所定長さを越えたときに、前記引き出し側被押圧片を押圧し、前記収容部を前記装置本体へ装着するための長さが前記所定長さを越えたときに、前記装着側被押圧片を押圧することを特徴とする請求項４に記載の画像形成装置。
【請求項６】
前記収容部は、用紙が収容される給紙カセット又は該給紙カセットよりも大容量の用紙が収容されるデッキであることを特徴とする請求項１〜５のいずれか１項に記載の画像形成装置。
【発明の詳細な説明】
【技術分野】
【０００１】
本発明は、給紙カセットや大容量の用紙を収容可能なデッキを備える画像形成装置に関する。
【背景技術】
【０００２】
プリンターや複写機等の画像形成装置は、装置本体の底面の四隅に設けられるストッパー付のキャスターによって床に設置されるのが一般的である。この場合、通常の使用環境においては問題ないが、地震等によって強い衝撃が加わった際には、ストッパーが外れて画像形成装置が床上を移動してしまうような事態が想定され得る。また、装置本体の底面に複数のゴム脚が設けられる場合もあるが、この場合は、画像形成装置を移動させ難いという問題がある。
【０００３】
そこで、特許文献１には、キャスターの移動を防止する転倒防止具を備える画像形成装置が記載されている。転倒防止具は、画像形成装置の装置本体に取り付けられる支持部材と、キャスターの周囲を覆う車輪収容部材と、を有し、車輪収容部材によってキャスターの移動が防止されるようになっている。
【先行技術文献】
【特許文献】
【０００４】
【特許文献１】特開２０１６−１６１６０７号公報
【発明の概要】
【発明が解決しようとする課題】
【０００５】
しかしながら、特許文献１に記載されているような転倒防止具を使用する場合、画像形成装置を移動させる際に、支持部材を装置本体から取り外し、移動先で再度支持部材を装置本体に取り付ける必要がある。
【０００６】
本発明は上記事情を考慮して、通常の移動作業には支障を来さず、強い衝撃が加わった際には移動を防止できる画像形成装置を提供することを目的とする。
【課題を解決するための手段】
【０００７】
上記目的を達成するため、本発明の画像形成装置は、底面に設けられたキャスターによって床上に設置される装置本体と、該装置本体の下部に着脱可能に設けられる収容部と、該収容部が前記装置本体から引き出されることで、前記装置本体の底面から前記床に向けて突出し、該床を押圧するストッパーと、を備えていることを特徴とする。
【０００８】
このような構成を採用することにより、装置本体に衝撃がかかって慣性力によって収容部が引き出された場合にはストッパーが突出して床を押圧するので、装置本体が床上を移動することを防止できる。
【０００９】
本発明の画像形成装置において、前記ストッパーは、前記キャスターよりも下方に突出する突出位置と前記キャスターよりも上方に退避する退避位置との間を回動可能に前記装置本体に設けられ、前記装置本体から前記収容部が引き出されることで、前記ストッパーが前記退避位置から前記突出位置に回動し、前記装置本体に前記収容部が装着されることで、前記ストッパーが前記突出位置から前記退避位置に回動することを特徴としても良い。
【００１０】
このような構成を採用することにより、ストッパーの回動を収容部の引き出しと装着とに連動させることができる。
【００１１】
本発明の画像形成装置において、前記ストッパーは伸縮可能に設けられ、前記退避位置においては伸長状態に維持され、前記退避位置から前記突出位置へ回動する際に前記床に当接すると、該床で押圧されることで収縮しながら前記床上をスライドし、前記突出位置においては伸長して前記床を押圧することを特徴としても良い。
【００１２】
このような構成を採用することにより、ストッパーを床と干渉させずに突出位置に回動させることができる。また、突出位置において、ストッパーを床に押圧させることができる。
【００１３】
本発明の画像形成装置において、前記ストッパーを回動させる力がゼロとなる死点を基準として、該死点の一方の側に前記ストッパーが回動すると該ストッパーを前記退避位置に回動するように付勢し、前記死点の他方の側に前記ストッパーが回動すると該ストッパーを前記突出位置に回動するように付勢する付勢部材と、前記収容部の底面から下方に突出する押圧片と、前記収容部の引き出し方向手前側及び装着方向手前側で前記押圧片と当接可能に前記ストッパーにそれぞれ設けられる引き出し側被押圧片及び装着側被押圧片と、を備え、前記収容部が前記装置本体から引き出されると、前記押圧片が前記引き出し側被押圧片を押圧することで前記ストッパーが前記死点の他方の側に回動し、前記付勢部材によって前記退避位置から前記突出位置に前記ストッパーが回動し、前記収容部が前記装置本体に装着されると、前記押圧片が前記装着側被押圧片を押圧することで前記ストッパーが前記死点の一方の側に回動し、前記付勢部材によって前記突出位置から前記退避位置に前記ストッパーが回動することを特徴としても良い。
【００１４】
このような構成を採用することにより、収容部の着脱に応じてストッパーを退避位置と突出位置とに確実に回動させることができる。
【００１５】
本発明の画像形成装置において、前記押圧片は、前記装置本体から前記収容部が引き出される長さが所定長さを越えたときに、前記引き出し側被押圧片を押圧し、前記収容部を前記装置本体へ装着するための長さが前記所定長さを越えたときに、前記装着側被押圧片を押圧することを特徴としても良い。
【００１６】
このような構成を採用することにより、通用使用時にはストッパーを作動させず、収容部が通常使用時よりも長く引き出された際にストッパーを作動させるので、収容部の操作性を阻害しない。
【００１７】
本発明の画像形成装置において、前記収容部は、用紙が収容される給紙カセット又は該給紙カセットよりも大容量の用紙が収容されるデッキであることを特徴としても良い。
【００１８】
このような構成を採用することにより、給紙カセットやデッキは、装置本体に衝撃がかかった際に慣性力によって引き出されやすいので、衝撃に対して速やかにストッパーを突出位置に回動させることができる。また、給紙カセットやデッキが通常動作で引き出された際には、ストッパーが装置本体を支持するので、装置本体の剛性を高めることができる。
【発明の効果】
【００１９】
本発明によれば、装置本体に衝撃がかかって収容部が引き出された場合には、ストッパーが床を押圧するので、装置本体が床上を移動することを防止できる。
【図面の簡単な説明】
【００２０】
【図１】本発明の一実施形態に係るプリンターの内部構造を模式的に示す正面図である。
【図２】本発明の一実施形態に係るプリンターにおいて、ストッパーの回動を説明する図であり、図２（Ａ）は退避位置におけるストッパー、図２（Ｂ）は当接部の角が床に当接した状態でのストッパー、図２（Ｃ）は当接部が床をスライドしながら収縮しているストッパー、図２（Ｄ）は突出位置におけるストッパーを示す。
【図３】本発明の一実施形態に係るプリンターにおいて、引っ張りばねによるストッパーの付勢状態を説明する図であり、図３（Ａ）はストッパーが死点を越えて一方向に回動する状態を示し、図３（Ｂ）はストッパーが死点を越えて他方向に回動する状態を示す。
【図４】本発明の一実施形態に係るプリンターにおいて、ストッパーの動作を説明する側面図であり、図４（Ａ）は退避位置のストッパー、図４（Ｂ）は回動途中のストッパー。図４（Ｃ）は突出位置のストッパーを示す。
【図５】本発明の一実施形態に係るプリンターにおいて、ストッパーの動作を説明する正面図であり、図５（Ａ）は退避位置のストッパー、図５（Ｂ）は回動途中のストッパー。図５（Ｃ）は突出位置のストッパーを示す。
【発明を実施するための形態】
【００２１】
以下、添付の図面を参照しつつ、本発明の一実施形態に係る画像形成装置について説明する。
【００２２】
まず、図１を参照して、画像形成装置としてのプリンター１の全体の構成について説明する。図１はプリンターの概略を示す模式図である。以下の説明において、図１の紙面手前側をプリンター１の前側（正面側）とし、左右方向は、プリンター１を前側から見た方向を基準とする。
【００２３】
プリンター１の装置本体２には、底面の四隅にそれぞれキャスター４が取り付けられている。さらに、底面の四隅近傍と、前縁の中央付近には、ストッパー機能付のアジャスター５が取り付けられている。装置本体２は、これらのキャスター４とアジャスター５とによって床Ｆに設置されている。通常時は、アジャスター５によってプリンター１の移動が規制されている。一方で、プリンター１を移動させる際は、アジャスター５の高さを低くするように調整すると、プリンター１はキャスター４によって床Ｆに沿って移動できるようになっている。
【００２４】
装置本体２の下部には、２個の給紙カセット７と２個のデッキ８とが、それぞれ前方に引き出し可能に装着されている。各給紙カセット７には、それぞれ異なるサイズの用紙Ｓが収容され、各デッキ８には、Ａ４サイズの用紙Ｓが１５００枚程度収容される。
【００２５】
２個の給紙カセット７は、上下に並んで配置されている。２個のデッキ８は、２個の給紙カセット７の下方に、左右に並んで配置されている。各デッキ８の左右側面にはそれぞれスライダ１１が前後方向に沿って固定されている。一方、装置本体２には、各スライダ１１が係合可能なレール１２が前後方向に沿って設けられている。各デッキ８は、スライダ１１がレール１２に係合してスライドすることで、前方に引き出し可能となっている。
【００２６】
装置本体２の上部には、トナー像を用紙Ｓに形成する画像形成部１５と、トナー像を用紙Ｓに定着する定着装置１６と、トナー像が定着された用紙Ｓを排出する排出装置１７と、排出された用紙Ｓが受け止められる排出トレイ１８と、が備えられている。用紙Ｓは、給紙カセット７又はデッキ８から送り出され、画像形成部１５においてトナー像が転写された後、定着装置１６においてトナー像が定着され、排出装置１７から排出トレイ１８に排出される。
【００２７】
さらに、装置本体２には、収容部としての２個のデッキ８の引き出しによって作動する移動防止用のストッパー２１が設けられている。
【００２８】
次に、ストッパー２１について、図２〜図５を参照して説明する。図２はストッパーの回動状態を説明する図であり、図３はコイルばねによるストッパーの付勢状態を説明する図である。図４及び図５はストッパーの動作を模式的に説明する図であり、図４は側面図、図５は正面図である。
【００２９】
ストッパー２１は、図２に示されるように、コイルばね２２によって連結された上部材２３と下部材２４とを有している。上部材２３は略直方体形状であり、下面から上方に向けて凹んだ凹部２３ａが形成されている。下部材２４は略直方体形状であり、上部材２３の凹部２３ａに挿入される上端部２４ａを有している。上端部２４ａには、上面から下方に向けて凹んだ凹部２４ｂが形成されている。コイルばね２２は、上部材２３の凹部２３ａと下部材２４の凹部２４ｂに収容されている。コイルばね２２が伸縮することで、上部材２３と下部材２４とが相対的にスライドして、ストッパー２１が伸縮する。ここで、コイルばね２２が自然長さに伸長した状態を最伸長状態とする。最伸長状態において、上部材２３と下部材２４とは、互いに係合する係合部（図示省略）によって抜け止めされている。
【００３０】
上部材２３の前面の上端部には、前方斜め上方向に延設された第１被押圧片２５が、引き出し側被押圧片として形成されている。上部材２３の上面の後端部には、上方に垂直に延設された第２被押圧片２６が、装着側被押圧片として形成されている。下部材２４の下端部には、外方向に張り出す当接部２８が形成されている。当接部２８の後側の角２８ａは、断面視円弧状に面取りされている。
【００３１】
上部材２３の両側面の上端部には、デッキ８の引き出し方向（前方向）及び装着方向（後方向）と直交する方向（左右方向）において互いに反対方向に突出する支軸２９（図４、図５参照）が同軸上に形成されている。最伸長状態における支軸２９の中心と当接部２８の底面との間の長さをＬ（以降、最伸長長さＬとする）とする。
【００３２】
ストッパー２１は、各デッキ８が収容されるデッキ収容空間内において、装置本体２の底板２ａの上面に前後方向に回動可能に支持されている。底板２ａには、図５に示されるように、左右方向に対向する一対の支持壁３１が立設されている。一対の支持壁３１間の底板２ａには開口３２が形成されている。一対の支持壁３１の上端部には、それぞれ軸受部３３が左右方向において同軸上に形成されている。軸受部３３の中心の床Ｆからの高さをＨ（以降、軸受部高さＨとする）とする。軸受部高さＨは、最伸長長さＬよりもやや短い。
【００３３】
ストッパー２１の両支軸２９は、一対の支持壁３１の軸受部３３に軸支されている。これにより、ストッパー２１は、底板２ａの開口３２から下方に突出して当接部２８が床Ｆを押圧する突出位置と、当接部２８が床Ｆから上方に退避する退避位置との間を、両支軸２９を中心として前後方向に回動する。
【００３４】
さらに、図５に示されるように、ストッパー２１の上部材２３の両側面と、各側面に対向する支持壁３１との間には、引っ張りばね３５が介装されている。引っ張りばね３５は、ストッパー２１を、退避位置及び突出位置に回動するように付勢する付勢部材である。
【００３５】
詳細には、図３（Ａ）、図３（Ｂ）の実線に示されるように、引っ張りばね３５の引っ張り方向と、ストッパー２１の長さ方向とが同軸上に並ぶ位置Ｄにストッパー２１が回動すると、引っ張りばね３５の引っ張り力はストッパー２１には及ぼされず、ストッパー２１はこの位置Ｄから回動しない。この位置Ｄを死点Ｄとする。一方、図３（Ａ）に示されるように、ストッパー２１が死点よりも一方側（図３（Ａ）の反時計回り方向側）に回動すると、図３（Ａ）の二点鎖線で示されるように、引っ張りばね３５はストッパー２１を反時計回り方向、すなわち、退避位置の方向に回動するように付勢する。逆に、図３（Ｂ）に示されるように、ストッパー２１が死点よりも他方側（図３（Ｂ）の時計回り方向側）に回動すると、図３（Ｂ）の一点鎖線に示されるように、引っ張りばね３５はストッパー２１を時計回り方向、すなわち、突出位置の方向に回動するように付勢する。
【００３６】
一方で、図４及び図５に示されるように、各デッキ８の底面には、前方寄りの位置に、下方に突出する押圧片４１がそれぞれ形成されている。押圧片４１は、デッキ８の引き出し及び装着方向においてストッパー２１と並ぶように配置されている。デッキ８が装着された状態では、ストッパー２１は引っ張りばね３５で図４の反時計回り方向に付勢されて退避位置に回動して、図４（Ａ）や図５（Ａ）に示されるように、第１被押圧片２５がデッキ８の押圧片４１に当接している。
【００３７】
上記構成を有するプリンター１におけるストッパー２１の回動について、図２を参照して説明する。
【００３８】
図２（Ａ）に示される退避位置においては、ストッパー２１は最伸長状態に伸長している。ストッパー２１が両支軸２９を中心として図２（Ａ）の時計回り方向に回動すると、やがて、図２（Ｂ）に示されるように、当接部２８の角２８ａが床Ｆに当接する。さらにストッパー２１が時計回り方向に回動すると、図２（Ｃ）に示されるように、当接部２８の角２８ａが床Ｆで押されて下部材２４が床Ｆに対して押し上げられ、コイルばね２２が自然長さから圧縮する。すなわち、ストッパー２１が収縮する。そして、当接部２８の角２８ａが床Ｆを後方にスライドしながらストッパー２１が回動する。
【００３９】
図２（Ｄ）に示すように、当接部２８が床Ｆに当接する突出位置までストッパー２１が時計回り方向に回動すると、当接部２８の角２８ａが床Ｆから押される力が解放される。これによりコイルばね２２が伸長し、ストッパー２１を伸長させる。ここで、ストッパー２１の最伸長長さＬは、軸受部高さＨよりもやや長いので、突出位置においては、コイルばね２２がやや圧縮されることになる。したがって、ストッパー２１は、この圧縮されたコイルばね２２の付勢力で、当接部２８が床Ｆを押圧する。
【００４０】
次に、デッキ８の着脱に伴うストッパー２１の動作について、主に図４と図５を参照して説明する。前述のように、デッキ８が装着された状態では、図４（Ａ）や図５（Ａ）に示されるように、ストッパー２１は引っ張りばね３５で反時計回り方向に付勢されて退避位置に回動し、第１被押圧片２５がデッキ８の押圧片４１に当接している。デッキ８を引き出していくと、デッキ８の押圧片４１がストッパー２１の第１被押圧片２５を押圧し、ストッパー２１は引っ張りばね３５の付勢力に抗して、支軸２９を中心として図４（Ａ）の時計回り方向へ回動し始める。この時計回り方向への回動動作中、ストッパー２１は図３に示される死点Ｄを越える。すると、前述のように、ストッパー２１は引っ張りばね３５によって時計回り方向に付勢される。やがて、図４（Ｂ）や図５（Ｂ）に示されるように、ストッパー２１は開口３２から下方に突き出て当接部２８の角２８ａが床Ｆに当接する。
【００４１】
さらにデッキ８を引き出すと、図２を参照して説明したように、当接部２８の角２８ａが床Ｆを後方にスライドし、ストッパー２１は収縮しながらさらに図４の時計回り方向に回動する。そして、図４（Ｃ）や図５（Ｃ）に示されるように、ストッパー２１が突出位置に回動すると、圧縮されたコイルばね２２の付勢力によって、当接部２８が床Ｆを押圧する。
【００４２】
一方、デッキ８を押し込むと、押圧片４１が第２被押圧片２６を押し、ストッパー２１は当接部２８の角２８ａを中心として、図４の反時計回り方向に回動する。さらに押圧片４１が第２被押圧片２６を押すと、当接部２８の角２８ａは床Ｆを前方にスライドして、ストッパー２１は収縮しながら支軸２９を中心として回動し、やがて、当接部２８が床Ｆから上方に離間する。この反時計回り方向への回動動作中、ストッパー２１が図３に示される死点を越えると、ストッパー２１は引っ張りばね３５によって反時計回り方向に付勢される。ストッパー２１は、第１被押圧片２５が押圧片４１へ当接する退避位置まで回動する。
【００４３】
上記説明したように本発明のプリンター１においては、デッキ８が引き出されると、装置本体２の底面からストッパー２１が突出して床Ｆを押圧する。したがって、地震等によってプリンター１に前方への力がかかって、慣性力によってデッキ８が前方に引き出されたような場合に、装置本体２の前方への移動を防止できる。なお、通常使用時は、ストッパー２１は退避状態に回動しているので、従来と同様に、アジャスター５によってプリンター１の移動が規制されている。プリンター１を移動させる際は、アジャスター５の高さを低くするように調整して、プリンター１をキャスター４によって床Ｆに沿って移動させる。
【００４４】
また、デッキ８に設けた押圧片４１によってストッパー２１を回動させるので、デッキ８の着脱に応じてストッパー２１を確実に作動させることができる。さらに、ストッパー２１の回動に応じて引っ張りばね３５がストッパー２１を退避位置又は突出位置に回動するように付勢するので、ストッパー２１をより確実に回動させることができる。
【００４５】
また、通常使用時は、デッキ８を引き出すことでストッパー２１が突出位置に回動するので、装置本体２の底板の強度を高めることができる。ただし、デッキ８の操作性等を考慮すると、通常使用時にはストッパー２１を作動させず、デッキ８の引き出し長さが、通常の引き出し長さよりも長い場合に、ストッパー２１を作動させることが好ましい。この場合は、ストッパー２１を作動させる押圧片４１を、デッキ８の下面の後端部に形成する。
【００４６】
デッキ８は、用紙Ｓの補給を容易に行えるように、装着状態で引き出し不能にロックするロック機構やカバー等が備えられておらず、ユーザーが容易に引き出せるようになっている。このため、装置本体２に通常使用時を越える大きな衝撃がかかった際には、デッキが引き出される可能性がある。そこで、デッキ８の引き出しと装着とにストッパー２１を連動させることで、衝撃に対して速やかに対応することができる。
【００４７】
なお、上記した本発明の実施形態の説明は、本発明に係る画像形成装置における好適な実施の形態を説明しているため、技術的に好ましい種々の限定を付している場合もあるが、本発明の技術範囲は、特に本発明を限定する記載がない限り、この態様に限定されるものではない。さらに、上記した本発明の実施形態における構成要素は適宜、既存の構成要素等との置き換えが可能であり、且つ、他の既存の構成要素との組合せを含む様々なバリエーションが可能であり、上記した本発明の実施形態の記載をもって、特許請求の範囲に記載された発明の内容を限定するものではない。
【符号の説明】
【００４８】
１  プリンター（画像形成装置）
２  装置本体
４  キャスター
８  デッキ（収容部）
２１  ストッパー
２５  第１被押圧片（引き出し側被押圧片）
２６  第２被押圧片（装着側被押圧片）
３５  引っ張りばね（付勢部材）
４１  押圧片
Ｆ  床
【図１】
2018072504.tif 000003
【図２】
2018072504.tif 000004
【図３】
2018072504.tif 000005
【図４】
2018072504.tif 000006
【図５】
2018072504.tif 000007